(57)【特許請求の範囲】
【請求項１】
表面に所定の情報が記載される伝票部と当該伝票部より小サイズで表面に所定の情報が記載される帳票部とが折り兼切り離し部により連設されて一体化されたものであり、当該伝票部の裏面であって、後に当該折り兼切り離し部で帳票部が伝票部の裏面側に折り込まれたときの当該帳票部に対応する領域である帳票部領域に対する帳票部領域以外の周囲の何れかに貼付物に貼付させるための粘着剤層が形成された貼付シートと、
前記貼付シートと重ね合わされるものであって、当該貼付シートの対向面の前記粘着剤層に対応した部分に剥離剤層が形成されると共に、前記帳票部領域に関連対応する領域を保護部材とする保護部材切り離し部が形成され、保護部材となる領域の一部を貼付シートに接着させて当該貼付シートが剥離される際、共に当該保護部材切り離し部より切り離させるべく接着剤層が形成されるものであり、後に剥離された貼付シートの帳票部を伝票部の裏面側で当該伝票部と一部接着された保護部材との間に折り込ませるものとさせる基材シートと、
を有することを特徴とする貼付伝票シート。
【発明の詳細な説明】
【技術分野】
【０００１】
本発明は、所定の情報が表示されて貼付物に貼付される貼付伝票シートに関する。
【背景技術】
【０００２】
近年、貼付伝票シートの一例として、配送物中の内容物と同梱されていた当該内容物に関する明細票を、配送物に貼付する配送伝票と一体化させた配送用シートが知られている。上記の配送用シートは、明細票を配送伝票の裏面側に折り曲げて配送物に貼付させるもので、明細票は受取人が配送伝票より取り上げ、適宜切取線により切り取るものである。このように配送伝票と明細票が一体化される場合には、後に受取人に対して明細票が汚れ等のない体裁の状態で提供することが望まれる。
【０００３】
従来、配送伝票と内容物に関する明細票とを一体化した配送用シートとして、以下の特許文献のものなどが知られている。何れの特許文献においても、配送のための伝票部の裏面側に一連の明細票を折り込んで、伝票部の裏面の、折り込んだ明細票の領域以外の部分に形成された接着剤により、配送物に貼付させるという構成である。
【先行技術文献】
【特許文献】
【０００４】
【特許文献１】実公昭５９−１６２２０号公報
【特許文献２】実用新案登録第３１５２１３７号公報
【特許文献３】特開平０９−２７７７４７号公報
【特許文献４】特開平１１−０４８６３９号公報
【特許文献５】特開２００１−２４６８８２号公報
【特許文献６】特開２００６−２８１７３９号公報
【発明の概要】
【発明が解決しようとする課題】
【０００５】
上記のような配送用シートは、配送内容物が段ボール箱内や紙箱内に梱包された配送物に貼付する際、伝票部の裏面に折り込まれた明細票が当該配送物の表面に直接に当接されることとなり、配送中のこすれなどにより当接している明細票を汚してしまうことがあるという問題がある。この場合、配送伝票を配送物に貼付する際に汚れ防止のための紙片やフィルム片などの保護部材を伝票と配送物表面との間に挿入させることが考えられるが、その分の手間を要すると共に保護部材の位置決めを容易に行うことができないという問題がある。
【０００６】
そこで、本発明は上記課題に鑑みなされたもので、配送伝票と明細票とを一体化させたものとして明細票の汚れを容易に防止する貼付伝票シートを提供することを目的とする。
【課題を解決するための手段】
【０００７】
上記課題を解決するために、請求項１の発明では、表面に所定の情報が記載される伝票部と当該伝票部より小サイズで表面に所定の情報が記載される帳票部とが折り兼切り離し部により連設されて一体化されたものであり、当該伝票部の裏面であって、後に当該折り兼切り離し部で帳票部が伝票部の裏面側に折り込まれたときの当該帳票部に対応する領域である帳票部領域に対する帳票部領域以外の周囲の何れかに貼付物に貼付させるための粘着剤層が形成された貼付シートと、前記貼付シートと重ね合わされるものであって、当該貼付シートの対向面の前記粘着剤層に対応した部分に剥離剤層が形成されると共に、前記帳票部領域に関連対応する領域を保護部材とする保護部材切り離し部が形成され、保護部材となる領域の一部を貼付シートに接着させて当該貼付シートが剥離される際、共に当該保護部材切り離し部より切り離させるべく接着剤層が形成されるものであり、後に剥離された貼付シートの帳票部を伝票部の裏面側で当該伝票部と一部接着された保護部材との間に折り込ませるものとさせる基材シートと、を有する構成とする。
【発明の効果】
【０００８】
本発明によれば、貼付シートと基材シートとが重ね合わされるものであって、伝票部と当該伝票部より小サイズの帳票部とが折り兼切り離し部により連設されて一体化された貼付シートの伝票部の裏面に、後に帳票部が伝票部の裏面側に折り込まれたときの当該帳票部に対応する領域である帳票部領域に対する帳票部領域以外の周囲の何れかに貼付物に貼付させるための粘着剤層を形成させ、一方、貼付シートの対向面の上記粘着剤層に対応した部分に剥離剤層を形成させると共に、帳票部領域に関連対応する領域を保護部材とする保護部材切り離し部、及び、保護部材となる領域の一部を貼付シートに接着させる接着剤層を形成させる構成とし、後に貼付シートが剥離される際、一部接着された保護部材が共に切り離され、帳票部を伝票部の裏面側で当該伝票部と一部接着された保護部材との間に折り込ませることにより、伝票部を貼付対象物に貼付する時に貼付対象物表面と帳票部との間に保護部材を容易に介在させることができ、後の取り扱いで帳票部が汚れることを防止させることができるものである。
【図面の簡単な説明】
【０００９】
【図１】本発明に係る貼付伝票シートとしての配送用シートの構成図である。
【図２】図１の配送用シートの使用説明図（１）である。
【図３】図１の配送用シートの使用説明図（２）である。
【図４】図１の配送用シートの使用説明図（３）である。
【図５】図１の配送用シートの使用説明図（４）である。
【図６】図１の基材シートにおける保護部材の他の例の説明図である。
【図７】本発明に係る配送用シートの第２の実施形態の説明図である。
【図８】図７における配送用シートの使用説明図である。
【図９】本発明に係る配送用シートの他の適用例の説明図である。
【図１０】図９の配送用シートの使用説明図（１）である。
【図１１】図９の配送用シートの使用説明図（２）である。
【図１２】本発明に係る配送用シートおける配達票の他の形態の説明図である。
【発明を実施するための形態】
【００１０】
以下、本発明の実施形態を図により説明する。本実施形態では、貼付伝票シートを配送用シートとして示して説明するが、例えば、帳票部に隠蔽情報を記載して企業内で受け渡しする物（貼付物）に貼付する伝票シートに適用することも可能である。
【００１１】
図１に、本発明に係る貼付伝票シートとしての配送用シートの構成図を示す。図１ (Ａ）〜（Ｃ）において、配送用シート１１は、貼付シート１２と基材シート１３とが重ね合わされて構成される。図１（Ａ）、（Ｂ）に示すように、貼付シート１２は伝票部である伝票領域部１４と帳票領域部１５とで構成される。伝票領域部１４には表面に配送情報が記載される貼付票２１及び配達票２２が形成される。配達票２２はハーフカットやミシン目などの配達票切り離し部２４により区分けされる。
【００１２】
なお、伝票領域部１４の一角には、後に重ね合わされる基材シート１３より剥離させるためのスリットなどのつまみ部１２Ａが形成され、また、配達票２２を配達票切り離し部２４で切り離すためのつまみ部２２Ａ（図２参照）が形成される。また、配達票２２は貼付票２１に対して縦、横の何れの配置でもよい。
【００１３】
帳票領域部１５は伝票領域部１４より小サイズの帳票部である明細票２３とがハーフカットやミシン目などの折り兼切り離し部２５で連設されて一体化されている。明細票２３は、例えば請求書、内容物が記載される納品書、振込書などである。帳票領域部１５の明細票２３以外の残り周辺は余剰部２８として伝票領域部１４と同一幅とされる。
【００１４】
なお、明細票２３は、ここでは、単一の帳票として示すが、伝票領域部１４と反対方向に折り兼切り離し部を介在させて複数連設させる構成としてもよい。また、図１（Ｃ）に示すように、明細票２３の裏面であって、配達票２２に対応する部分に、お知らせや広告などの情報を表示する情報部２９が適宜設けられるもので、配達票２２が切り離された後に表出されて視認させることができる。
【００１５】
貼付シート１２における明細票２３は、上記折り兼切り離し部２５及び明細票切り離し部２６によって伝票領域部１４及び余剰部２８と区分けされる。当該余剰部２８は、伝票領域部１４に対してスリット２７Ａ，２７Ｂで区分けされる。なお、配達票切り離し部２４、折り兼切り離し部２５、明細票切り離し部２６及びスリット２７Ａ，２７Ｂは、例えば、基材シート１３との重ね合わせた後に形成させてもよい。
【００１６】
貼付シート１２の裏面は、図１（Ｃ）に示すように、後に当該折り兼切り離し部２５で明細票２３が伝票領域部１４の裏面側に折り込まれたときの当該明細票２３に対応する領域としての帳票部領域である明細票領域に対する明細票領域以外の周囲（図１（Ｃ）のスリット２７Ａ，２７Ｂの延長上の２辺でもよく、明細票２３の反対側の辺だけであってもよい）に貼付物に貼付させるための粘着剤層３０が形成されると共に、余剰部２８の裏面に粘着剤層３０Ａが形成される。当該粘着剤層３０Ａは、後に貼付シート１２を基材シート１３より剥離するときに余剰部２８を基材シート１３側に残すためのものである。
【００１７】
上記基材シート１３は、図１（Ｂ）に示すように、貼付シート１２の対向面の粘着剤層３０に対応した部分にシリコン系やワックス系の剥離剤層３４が形成されると共に、明細票領域に関連対応する領域（例えば、明細票２３より一回り大とした領域や、逆に明細の記載内容の部分だけを保護する最低限の領域）を保護部材３２とする保護部材切り離し部３１が形成され、保護部材３２となる領域の一部を貼付シート１２の伝票領域部１４の一部（図１（Ｃ）の配達票２２と粘着剤層３０との間部分）に接着させるための粘着剤層３３が形成される。詳しくは後述するが、貼付シート１２が剥離される際、共に当該保護部材切り離し部３１より切り離させるためのものである。この場合、接着剤層３３は、保護部材３２に対応する貼付シート１２の裏面の対向位置に接着剤層３０の延長として形成させることとしてもよい。また、保護部材切り離し部３１は、ここでは全部をミシン目などの不完全カットとして説明するが、一部にスリットの完全カットを含ませてもよい。
【００１８】
また、基材シート１３の保護部材３２の、貼付シート１２の配達票２２に対応する部分に、お知らせや広告などの情報を表示する情報部３２Ａが適宜設けられるもので、後述する図５（Ｂ）に示すように、明細票２３が伝票領域部１４より取り出された後に表出させて視認させることができるものである。
【００１９】
そこで、図２〜図５に、図１の配送用シートの使用説明図を示す。図２において、配送用シート１１は、使用に際して、つまみ部１２Ａより貼付シート１２を基材シート１３に対して剥離する。当該貼付シート１２の裏面に形成された粘着剤層３０に対応している剥離剤層３４により剥離可能なる。
【００２０】
このとき、貼付シート１２の伝票領域部１４の裏面に粘着剤層３３で接着状態である保護部材切り離し部３１で囲われた部分（後の保護部材３２）が、当該保護部材切り離し部３１で切り離されて剥離された貼付シート１２の裏面に一部接着された状態となる。これによって、基材シート１３では保護部材部分が抜けた開放部３２Ｂが形成された状態となる。
【００２１】
また、基材シート１３では、貼付シート１２の余剰部２８がその裏面に形成された粘着剤層３０Ａにより接着状態となり、明細票切り離し部２６及びスリット２７Ａ，２７Ｂで切り離されて残存する。すなわち、剥離後の貼付シート１２は、図２及び図３（Ａ）に示されるように、貼付票２１及び配達票２２の伝票領域部１４と、これより小サイズの明細票２３が折り兼切り離し部２５により連設された状態となり、伝票領域部１４の裏面に保護部材３２が一部接着された状態となる。
【００２２】
そこで、図３（Ｂ）、（Ｃ）に示すように、保護部材３２をめくり、明細票２３を折り兼切り離し部２５より伝票領域部１４の裏面側に折り曲げる。すなわち、明細票２３は、伝票領域部１４と保護部材３２の間に折り込まれることとなり、当該明細票２３を表出させない状態とするものである。
【００２３】
上記状態の貼付シート１２が明細票２３を含む貼付伝票となり、図４（Ａ）に示すように、段ボール箱などに配送対象物を梱包させた配送物４１の表面上に貼付される。当該配送物４１は貼付票２１の宛名に応じて流通ルートに載せられて配送される。上記配送物４１が受取人に受け取られる際に、図４（Ｂ）に示すように、配送人が配達票２２に受領印又はサインを受け、つまみ部２２Ａから配達票切り離し部２４に沿って切り離して持ち帰る。このとき、切り離された配達票２２の後には、図５（Ａ）に示すように、明細票２３の裏面に形成された情報部２９が表出し、受取人に視認されることとなる。
【００２４】
受取人は、図５（Ｂ）に示すように、折り込まれた明細票２３を引き出し、確認し、適宜折り兼切り離し部２５より切り離すものである。このとき、伝票の配達票２２があった部分からは、図１（Ｂ）で示した、保護部材３２の裏面に形成された情報部３２Ａが表出され、視認されることとなるものである。
【００２５】
このように、配送用シート１１の基材シート１３に、貼付シート１２の剥離時に共に接着状態で切り離される保護部材３２を形成しておくことによって、明細票２３を伝票領域部１４の裏面側に保護部材との間に折り込ませることが可能となり、貼付票２１及び配達票２２の配送伝票を配送物４１に貼付する時に配送物表面と明細票２３との間に保護部材３２を容易に介在させることができ、配送中の取り扱いで明細票２３が汚れることを防止させることができるものである。
【００２６】
ところで、基材シート１３の保護部材３２となる部分にも剥離剤層を形成することとしてもよい。剥離剤層は上述のようにシリコン系やワックス系で構成されて防水性を有しており、例えば、配送物が冷蔵ものである場合には、結露などによって明細票２３を水分や湿気より守ることができるものである。このことは、以下の実施形態においても適用できるものである。
【００２７】
次に、図６に、図１の基材シートにおける保護部材の他の例の説明図を示す。図６（Ａ）に示す配送用シート１１は、基材シート１３における保護部材３２の領域内に、ミシン目などの通信体切り離し部３５で通信体である返信ハガキ３６を形成したものである。貼付シート１２の構成は図１と同様である。例えば、配送物４１内にカタログなどを同梱しておき、当該カタログ内の商品を購入する場合に使用させるものである。
【００２８】
例えば、図６（Ｂ）に示すように、受取人側において、配送物４１より配達票２２が切り離され、さらに明細票２３が引き出されて切り離された後、受取人が貼付票２１を引きはがし、露出した保護部材３２より通信体切り離し部３５で返信ハガキ３６を切り離すことによって使用される。このように、配送物４１が受取人に手渡された後には不要となる保護部材３２をさらに有効利用させることができるものである。これらのことは、以下の実施形態においても適用できるものである。
【００２９】
次に、図７に、本発明に係る配送用シートの第２の実施形態の説明図を示す。図７（Ａ）は、図１に適用させた実施形態であり、配送用シート１１における貼付シート１２の伝票領域部１４に、折り兼切り離し部２５の両端から直交するミシン目などの開放部６１Ａ，６１Ｂを形成したもので、他の構成は図１と同様である。すなわち、開放部６１Ａは、例えば配達票の長さと同じ長さで形成させ、開放部６１Ｂは配達票２２を形成させた配達票切り離し部２４の端部まで形成させたものである。
【００３０】
また、図７（Ｂ）に示す配送用シート１１は、貼付シート１２の配達票２２を形成させる配達票切り離し部２４を折り兼切り離し部２５の対応する一端側の直交延長上より内側に配置し、当該折り兼切り離し部２５の両端から直交するミシン目などの開放部６１Ａ，６１Ｂを、例えば配達票２２の長さと同じ長さで形成させたもので、他の構成は図１と同様である。
【００３１】
そこで、図８に、図７における配送用シートの使用説明図を示す。図８は、図７（Ｂ）に対応した使用形態であり、図８（Ａ）に示すように、受取人側において配送物４１より配達票２２が切り離された後、受取人が図８（Ｂ）に示すように折り兼切り離し部２５より明細票２３を把持して開放部６１Ａ，６１Ｂに沿って分離させていく。これによって、図８（Ｃ）に示すように伝票領域部１４と保護部材３２との間に折り込まれた明細票２３を引き出しやすくさせるものである。これらのことは、以下の適用例においても適用することができるものである。
【００３２】
次に、図９に、本発明に係る配送用シートの他の適用例の説明図を示す。図９（Ａ）〜（Ｃ）に示す配送用シート１１は、基本構成は図１と同様であり、異なる構成を説明する。すなわち、貼付シート１２の帳票領域部１５において、明細票２３に、折り兼切り離し部２５より所定長分のエリアを形成させる分離部７１を設け、当該エリア内に所定形状の窓形成片７３をミシン目などの窓形成切り離し部７２により所定数形成している。この窓形成片７３の形状は問わず、個数も問わない。
【００３３】
また、貼付シート１２の裏面は、図９（Ｃ）に示すように、窓形成片７３に対応した部分に粘着剤層３０Ｃを形成させ、伝票領域部１４側で粘着剤層３０Ｃと折り兼切り離し部２５の線対称で粘着剤層３０Ｂを形成させている。そして、基材シート１３の粘着剤層３０及び上記粘着剤層３０Ｂに少なくとも対応させた部分に剥離剤層３４を形成させたものである。この場合、基材シート１３に形成される保護部材３２は、分離部７１からの明細票２３に対応した長さとさせている。
【００３４】
そこで、図１０及び図１１に、図９の配送用シートの使用説明図を示す。図１０において、配送用シート１１は、使用に際して、つまみ部１２Ａより貼付シート１２を基材シート１３に対して剥離する。当該貼付シート１２の裏面に形成された粘着剤層３０に対応している剥離剤層３４により剥離可能なる。
【００３５】
このとき、貼付シート１２の伝票領域部１４の裏面に粘着剤層３３で接着状態である保護部材切り離し部３１で囲われた部分（後の保護部材３２）が、当該保護部材切り離し部３１で切り離されて剥離された貼付シート１２の裏面に一部接着された状態となる。これによって、基材シート１３では保護部材部分が抜けた開放部３２Ｂが形成された状態となる。
【００３６】
また、基材シート１３では、貼付シート１２の窓形成片７３及び余剰部２８がその裏面に形成された粘着剤層３０Ａ，３０Ｃにより接着状態となり、明細票切り離し部２６、窓形成切り離し部７２及びスリット２７Ａ，２７Ｂで切り離されて残存する。すなわち、剥離後の貼付シート１２では、図１０及び図１１（Ａ）に示すように、貼付票２１及び配達票２２の伝票領域部１４と、これより小サイズの明細票２３が折り兼切り離し部２５より窓形成片７３の分離で生じた窓部７４が形成されたエリアを介して分離部７１により連設された状態となり、伝票領域部１４の裏面に保護部材３２が一部接着された状態となる。
【００３７】
そこで、図１１（Ｂ）、（Ｃ）に示すように、保護部材３２をめくり、明細票２３を折り兼切り離し部２５より伝票領域部１４の裏面側に折り曲げる。すなわち、明細票２３は、伝票領域部１４と保護部材３２の間に折り込まれることとなり、粘着剤層３０、３０Ｂによって配送物に貼付可能状態となる。
【００３８】
上記状態の貼付シート１２が明細票２３を含む貼付伝票となり、配送物４１に貼付された場合、図３と異なるところは、粘着剤層３０Ｂによっても接着状態となることである。すなわち、配送物４１への貼付時には、図３の折り兼切り離し部２５の部分は接着状態ではなく隙間の生じた状態であることから、ゴミ等の侵入を防止させるためのものである。
【００３９】
次に、図１２に、本発明に係る配送用シートおける配達票の他の形態の説明図を示す。図１２（Ａ）、（Ｂ）において、配送用シート１１は、貼付シート１２の伝票領域部１４に設けられる配達票８１を貼付票２１と一体ではなく、貼り合わせした場合を示したものである。すなわち、配達票８１の裏面には通常知られている剥離可能接着剤層８２を形成しておき、一方で、貼付シート１２の対応部分に同様の剥離可能接着剤層８２を形成すると共に、当該部分に適宜お知らせや広告等の情報部８３を形成させたものである。他の構成は、図１と同様である。
【００４０】
上記のような貼付伝票を配送物４１に貼付して配送され、受取人側で配送人が配達票に受領印やサインを受けた剥離して持ち帰るもので、図１２（Ｃ）に示すように、配達票２２が剥離された後に情報部８３が表出して受取人に視認させるものである。
【産業上の利用可能性】
【００４１】
本発明の貼付伝票シートは、所定の情報が表示されて貼付物に貼付される伝票等のシート及び当該シートを作製する産業に利用可能である。
【符号の説明】
【００４２】
１１                配送用シート
１２                貼付シート
１３                基材シート
１４                伝票領域部
１５                帳票領域部
２１                貼付票
２２，８１          配達票
２３                明細票
２４                配達票切り離し部
２５                折り兼切り離し部
２６                明細票切り離し部
２７                スリット
２８                余剰部
２９，３２Ａ，８３  情報部
３０，３０Ａ，３３  粘着剤層
３１                保護部材切り離し部
３２                保護部材
３４                剥離剤層
３５                通信体切り離し部
３６                返信ハガキ
４１                配送物
６１                開放部
７１                分離部
７２                窓形成切り離し部
７３                窓形成片
７４                窓部
８２                剥離可能接着剤層
【図１】
0005952050.tif 000002
【図２】
0005952050.tif 000003
【図３】
0005952050.tif 000004
【図４】
0005952050.tif 000005
【図５】
0005952050.tif 000006
【図６】
0005952050.tif 000007
【図７】
0005952050.tif 000008
【図８】
0005952050.tif 000009
【図９】
0005952050.tif 000010
【図１０】
0005952050.tif 000011
【図１１】
0005952050.tif 000012
【図１２】
0005952050.tif 000013